Podtech/llm-jp-corpus-v4-ja_patent huggingface dataset:
(57)【要約】【課題】本考案は、腰をまわす運動を中心とした腰の運動を、より楽しく簡単に行うための腰の運動の補助具の開発。【解決手段】足ぶみ板１が左右にシーソー運動がしやすいように、また運動を２方向に限定するためにレール状の突起２を設けることにより、とても単純に誰にでも楽しめる安全な腰の運動の補助具が実現した。【選択図】図１
0003102644.tif 000002
【実用新案登録請求の範囲】
【請求項１】
足ぶみ板１の底部にレール状の突起２を固定する。以上の如く構成された、腰の運動の補助具。
【請求項２】
足ぶみ板１を角型にした請求項１の腰の運動の補助具。
【請求項３】
足ぶみ板１とレール状の突起２が一体形成された請求項１の腰の運動の補具。
【請求項４】
足ぶみ板１の底部にレール状の突起２をボルトとナット等で固定してレール状の突起２を足ぶみ板１から取り外せるようにした、請求項１の腰の運動の補助具。
【請求項５】
床との接地面に液状ゴムやウレタン等の保護材３を付けて、床に傷が付かない様に処理をした請求項１の腰の運動の補助具。
【請求項６】
レール状の突起２に隙間を設けた請求項１の腰の運動の補助具。
【請求項７】
足ぶみ板１の表面にレール状の突起２の方向がわかるような図柄をいれた請求項１の腰の運動の補助具。
【考案の詳細な説明】
【技術分野】
【０００１】  本考案は足ぶみ板の底部に足ぶみ板の両端をシーソーの様に上下させる為のレール状の突起を持ち、体重の移動により、足ぶみ板の両端が上下する腰の運動の補助具に関するものである。
【背景技術】
【０００２】  従来、足ぶみ板を回転させて腰をひねったり、足ぶみ板の底の中央に半球状の突起をつけてバランスをとったりする補助具はあったが、片足荷重での腰をまわす運動やリズムカルな腰をまわす運動を補助する補助具は無かった。
【公開の開示】
【考案が解決しようとする課題】
【０００３】  本考案は、補助具が無くてもできる腰をまわす運動を、より楽しく簡単に行う為、また片足荷重での腰をまわす運動などをする為。しかも、腰の運動を楽しく続ける為の腰の運動の補助具を開発しようとするものである。
【課題を解決しようとする課題】
【０００４】  本考案は、足ぶみ板１の底部にレール状の突起２を固定して、足ぶみ板を体重の移動によりシーソーのように動かせることが主たる特徴である。
【考案の効果】
【０００５】  以上のような構造であるから、これを使用するときは、足ぶみ板１のレール状の突起２がついてる側を裏にして床に置き、左右にシーソー運動をしやすい様にレール状の突起２の縦方向を左右の足の中心にして、足を腰幅程度に開いて足ぶみ板１の上に両足で乗る。腰をまわしながら腰が右になった時は足ぶみ板１の左側が上がり、腰が左になった時は足ぶみ板１の右側が上がる。このように腰をまわす運動とレール状の突起２を中心にした足ぶみ板１のシーソー運動をミックスした腰の運動が簡単にリズムカルにできる。また、足ぶみ板１の左側を上げた状態を保ちながら、右腰を中心にした腰をまわす運動、同様に足ぶみ板１の右側を上げた状態を保ちながら、左腰を中心にした腰をまわす運動がとても簡単に楽しく行う事ができ、健康の維持に役立つ。
【考案を実施するための最良の形態】
【０００６】  足ぶみ板１が左右にシーソー運動がしやすいように、また運動を２方向に限定するためにレール状の突起２を設けることにより、とても単純に誰にでも楽しめる安全な腰の運動の補助具が実現した。
【実施例１】
【０００７】  図１は、本考案の実施例の前上方からの斜面図である。足ぶみ板１は、これを使用する人の腰幅から肩幅位の横幅が最適である。また人が乗って運動をしても、壊れない強度をもつ材料で作られている。【０００８】  図２は本考案の実施例の前下方からの斜面図である。レール状の突起の高さは７ｍｍ程度が安全で親しみやすいが、個々の運動能力により変化するものである。
【実施例２】
【０００９】  足ぶみ板１を角型に作る。
【実施例３】
【００１０】  足ぶみ板１とレール状の突起２を一体形成で作る。
【実施例４】
【００１１】  足ぶみ板１からレール状の突起２を取り外せるように、ボルトとナット等で固定する。
【実施例５】
【００１２】  床等を傷つけないために足ぶみ板１とレール状の突起２の一部又は全体に液状ゴムやウレタン等の保護材を付ける。
【実施例６】
【００１３】  レール状の突起２に隙間をもうける。
【実施例７】
【００１４】  足ぶみ板１の表面にレール状の突起２の方向がわかるような図柄をいれる。
【図面の簡単な説明】
【００１５】
【図１】本考案の前上方からの斜面図。（実施例１）
【図２】本考案の前下方からの斜面図。（実施例１）
【図３】本考案の平面図。（実施例１）
【図４】本考案の側面図。（実施例１）
【図５】本考案の前面図。（実施例１）
【図６】本考案の足ぶみ板を角型にした前上方からの斜面図。（実施例２）
【図７】本考案の足ぶみ板を角型にした前下方からの斜面図。（実施例２）
【図８】本考案の保護材をつけた平面図。（実施例４）
【図９】本考案の保護材をつけた前面図。（実施例４）
【図１０】本考案のレール状の突起に隙間をもうけた前下方からの斜面図。（実施例５）
【図１１】本考案の足ぶみ板にレール状の突起の方向がわかる図柄をいれた後ろ上方からの斜面図。（実施例６）
【符号の説明】
【００１６】１は足ぶみ板
２はレール状の突起
３は保護材
４はレール状の突起の方向を示す図柄
【図１】
0003102644.tif 000003
【図２】
0003102644.tif 000004
【図３】
0003102644.tif 000005
【図４】
0003102644.tif 000006
【図５】
0003102644.tif 000007
【図５】
0003102644.tif 000008
【図６】
0003102644.tif 000009
【図７】
0003102644.tif 000010
【図８】
0003102644.tif 000011
【図１０】
0003102644.tif 000012
【図１１】
0003102644.tif 000013
【手続補正書】
【提出日】平成16年2月27日(2004.2.27)
【手続補正２】
【補正対象書類名】図面
【補正対象項目名】全図
【補正方法】変更
【補正の内容】
【図１】
0003102644.tif 000014
【図２】
0003102644.tif 000015
【図３】
0003102644.tif 000016
【図４】
0003102644.tif 000017
【図５】
0003102644.tif 000018
【図６】
0003102644.tif 000019
【図７】
0003102644.tif 000020
【図８】
0003102644.tif 000021
【図９】
0003102644.tif 000022
【図１０】
0003102644.tif 000023
【図１１】
0003102644.tif 000024
(57)【要約】【課題】２つの指輪を組み合わせると、予想ができなかったような形になるペアリングを得る。【解決手段】ペアリングを構成する各指輪１は、本体が略円形に曲がった金属の帯体２でできているが、帯体自体はエンドレスに繋がっているわけでなく、端があり、両端が指輪の中心軸に沿った方向に食い違っている。端部３と端部３は、側縁同士を繋ぎ部材４を介して結合する。帯体２の一端は直角に、他端は斜めにそれぞれカットする。斜めにカットした方の端部は捻ってあり、２つの指輪を付き合わせたとき、ちょうど１回捻れるようになっている。【選択図】図３
0003102659.tif 000002
【実用新案登録請求の範囲】
【請求項１】
一対の指輪から成り、各指輪は帯体を略円形に曲げたものであるが、該帯体の両端が中心軸に沿った方向に食い違っており、両方の指輪の端部を突き合わせると、該帯体同士が滑らかにつながって数字の「８」の字を形成するように構成したペアリング。
【請求項２】
突合せ部を跨いで該帯体が１回ねじれており、該「８」の字がメビウス帯を形成している請求項１に記載のペアリング。
【請求項３】
各指輪の端部と端部の側縁同士を繋ぎ部材を介して結合した請求項１または２に記載のペアリング。
【考案の詳細な説明】
【技術分野】
【０００１】
本考案は、２つの指輪を突き合わせると数字の「８」の字ないしメビウス帯の８の字になるペアリングに関し、結婚指輪などに好適のものである。
【背景技術】
【０００２】
従来のペアリングは、デザインが同じで、大きさだけが少し異なる指輪から成るものがほとんどであった。
【考案の開示】
【考案が解決しようとする課題】
【０００３】
この考案は、２つの指輪を組み合わせると、予想ができなかったような形になるペアリングを得ることを課題とする。
【課題を解決するための手段】
【０００４】
この考案のペアリングは、一対の指輪から成り、各指輪は帯体を略円形に曲げたものであるが、該帯体の両端が中心軸に沿った方向に食い違っており、両方の指輪の端部を突き合わせると、該帯体同士が滑らかにつながって数字の「８」の字を形成するように構成したものである（請求項１）。突合せ部を跨ぐように帯体を１回捻って、メビウス帯からなる「８」の字が形成されるようにしてもよい（請求項２）。
【０００５】
このように２つの指輪を合わせると、「８」の字が形成されるので、ペアリングを装着する２人の一体感を演出することができ、結婚指輪などとして好適である。ただの「８」の字ではなく、メビウス帯で「８」の字を作るようにすれば、より神秘な感じを醸し出すことができる。なお、メビウスの帯は、帯体を１回ひねってから、一方の端の表と、他方の端の裏を貼り合わせたときにできる輪であり、この帯が作る面は表と裏の区別がつけられず、また、左回りと右回りの区別がつけられないという不思議な性質がある。
【０００６】
各指輪の端部と端部は、側縁同士を繋ぎ部材を介して結合する（請求項３）。こうすれば、強度が出てリングの変形が防げる。この繋ぎ部材は宝石を取り付ける台として利用できる。
【考案を実施するための最良の形態】
【０００７】
図１（斜視図）および図２（正面図）に示すように、このペアリングは大小一対の指輪１ａ、１ｂから成る。各指輪は、本体が略円形に曲がった金属の帯体２でできているが、帯体自体はエンドレスに繋がっているわけでなく、端があり、両端が指輪の中心軸に沿った方向に食い違っている。端部３と端部３は、側縁同士を繋ぎ部材４を介して結合する。指に嵌めたとき、帯体の端３が角張らないように、また、嵩張らないよう、帯体の両端はそれぞれ斜めにカットし、ほぼ45度ずつ反対方向に捻っておく。
【０００８】
これら２つの指輪の両端３を突き合わせると、帯体同士が滑らかにつながって数字の「８」の字を形成する。
【０００９】
図３および図２は他の実施例を示すもので、指輪を突き合わしたとき「８」の字ができるだけでなく、それがメビウス帯に成るようにしたものである。このものでは、帯体２の一端は直角に、他端は斜めにそれぞれカットする。斜めにカットした方の端部は捻ってあり、２つの指輪を付き合わせたとき、ちょうど１回捻れるようになっている。
【図面の簡単な説明】
【００１０】
【図１】ペアリングの斜視図である。
【図２】同じく正面図である。
【図３】他の実施例のペアリングの斜視図である。
【図４】同じく正面図である。
【符号の説明】
【００１１】
１    指輪
２    帯体
３    端部
４    繋ぎ部材
【図１】
0003102659.tif 000003
【図２】
0003102659.tif 000004
【図３】
0003102659.tif 000005
【図４】
0003102659.tif 000006
(57)【要約】【課題】  花を活け易く、生け花初心者でも使い易い剣山を提供する。【解決手段】  適宜なベース部１に多数の金属製針からなる針部２を稙立してなる剣山において、ベース部中心の適宜範囲の針部（中央針部２１）は、ベース部に対して垂直に稙立し、且つ先端部分は所定の鋭さを備えてなり、前記中央針部の周囲には、順次外周方向に傾斜させると共に、先端部分を指が刺さらないように丸く形成してなる傾斜針部２２を設けてなる。【選択図】図１
0003102652.tif 000002
【実用新案登録請求の範囲】
【請求項１】
適宜なベース部に多数の金属製針からなる針部を稙立してなる剣山において、ベース部中心の適宜範囲の針部は、ベース部に対して垂直に稙立し、且つ先端部分は所定の鋭さを備えてなり、前記中央針部の周囲には、順次外周方向に傾斜させると共に、先端部分を指が刺さらないように丸く形成してなる傾斜針部を設けてなることを特徴とする剣山。
【請求項２】
傾斜針部の針先端部分を、中心から離れるに従って順次丸く形成してなる請求項１記載の剣山。
【請求項３】
傾斜針部の最外周針を、垂直方向を９０度とした場合に、６０〜４５度の傾斜角度に形成してなる請求項１又は２記載の剣山。
【考案の詳細な説明】
【技術分野】
【０００１】
本考案は、生け花に使用する剣山に関するものである。
【背景技術】
【０００２】
一般的な剣山は、鉛や真鍮等で形成されたベースに、真鍮製の梁を多数稙立して形成されており、生け花は、直立した針に花の茎や木の枝を差し込むことで生け込みがなされている。特に花を斜め方向に生ける場合には、花の茎自体を曲げたり、針を曲げて行っているが、前者は生け花の手法としてテクニックが要求され、後者の場合には、後日の使用に支障をきたす。
【０００３】
そこで特開２００２−１９１４８１号公報（特許文献１）には、針部に形状記憶機能を有せしめた剣山が開示されている。
【０００４】
また実開昭５７−１７８５７１号公報（特許文献２）には、中心から端部に順次傾斜させた針を備えた剣山が開示されている。
【０００５】
また剣山は針山が危険で、上下部分を挟んで手に持つことができないので、この対策として実開平２−１３０２７０号公報（特許文献３）に、針山の周囲に保護部材を設けた剣山が開示されている。
【０００６】
【特許文献１】特開２００２−１９１４８１号公報。
【特許文献２】実開昭５７−１７８５７１号公報。
【特許文献１】実開平２−１３０２７０号公報。
【考案の開示】
【考案が解決しようとする課題】
【０００７】
針山が予め斜めであれば便利であるが、前記した特許文献２記載のように全体（針山形状）を斜めに形成してしまうと、伝統的な生け花が逆に活け難い。針部に記憶形状機能を備えさせて、必要時に針を傾斜させると便利であるが、形状記憶機能を備えた材質の採用は、本来低価格であるはずの商品を高価格としてしまう。
【０００８】
なお剣山の針が危険であるとして、針分の周囲に保護部を設ける提案（特許文献３）がなされているが、保護部材は花を活けるのに邪魔になる。
【０００９】
そこで本考案は、花を活け易く使い易いようにした新規な剣山を提案したものである。
【課題を解決するための手段】
【００１０】
本考案は、適宜なベース部に多数の金属製針からなる針部を稙立してなる剣山において、ベース部中心の適宜範囲の針部は、ベース部に対して垂直に稙立し、且つ先端部分は所定の鋭さを備えてなり、前記中央針部の周囲には、順次外周方向に傾斜させると共に、先端部分を指が刺さらないように丸く形成してなる傾斜針部を設けてなることを特徴とするものである。
【考案の効果】
【００１１】
本考案は上記構成を採用することで、生け花の中心（通常の上段配置となる真）は中央針部に直立して活け易く、しかも「真」となる部分は、木の枝などが多いので先端が鋭利なほうが便利であり、次段配置となる「副」は中心針部又は中心針部の周囲部分に活け、下段配置となる「体」は、横方斜めや前方斜めに活けるので、周囲の傾斜針部に差し込んで活けると良いため、生け花を非常に活け易く、生け花初心者が使い易い剣山となったものである。
【００１２】
更に本考案の剣山の傾斜針部の針は、先端部分を丸く形成したもので、通常「体：下段配置」として使用される花は木の枝のような硬いものは少ないので、充分に生け花に対応できると共に、針が斜めの剣山を使い慣れていない人も安全に使用できたものである。
【考案を実施するための最良の形態】
【００１３】
次に本考案の実施の形態について説明する。実施形態に示した剣山は、通常の剣山と同様に、ベース部１と針部２とで構成され、ベース部１は、鉛や真鍮等で形成された円盤状ベース体１１の周囲に、ベース体１１の周壁部分及び底面外周縁近傍部分を被覆するゴム質で形成した滑止体１２を装着したものである。
【００１４】
針部２は多数の針を常法手段で稙立したもので、中心に配置される中央針部２１と中央針部２１の外周に配置される傾斜針部２２とで構成される。
【００１５】
中央針部２１は、従前の剣山と同様に、先端を適宜な尖鋭形態として、生け花の使用に充分対応できる程度としたものである。またその範囲も適宜選択すれば良い。
【００１６】
傾斜針部２２は、直立した針を中央側から外周側に向かって順次傾斜角度が大きくなるように傾斜させたもので、最外周傾斜針の傾斜角度が、鉛直方向（中央針部の直立方向）を９０度とした場合に、６０〜４５度の角度となるようにしたものである。
【００１７】
更に傾斜針部２２の針は針形状であるが、特に先端部分を指が刺さらないように丸く形成してなるもので、中心から離れるに従って順次丸くしてなるものである。
【００１８】
而して従前の通り水盤内に置いて生け花に使用するもので、生け花の花等の配置に対応して中央針部２１や傾斜針部２２の適宜位置を選択して当該位置の針に、花等を刺突するものである。
【図面の簡単な説明】
【００１９】
【図１】本考案の実施形態の一部省略した全体斜視図。
【図２】同要部拡大断面図。
【符号の説明】
【００２０】
１      ベース部
１１    ベース体
１２    滑止体
２      針部
２１    中央針部
２２    傾斜針部
【図１】
0003102652.tif 000003
【図２】
0003102652.tif 000004
(57)【要約】【課題】  本考案は上半身及び腕を、左右上方へひねり上げる動きに対しての運動機能性が高く、快適な着用感を与えてくれるジャケットを提供する。【解決手段】  本考案は前身頃の肩部から裾部と、後身頃の肩部から裾部にかけての脇部を形成するパーツを、生地がバイヤス方向に伸びる特性を生かす為、定めた角度の範囲でＸ状に裁断し縫製したことを特徴とする。【選択図】  図５
0003102691.tif 000002
【実用新案登録請求の範囲】
【請求項１】
ジャケットの前身頃と後身頃の脇部において、そのパーツが生地のバイヤス方向に伸びる特性を利用し且つ最大距離をとれるよう、前及び後身頃肩部から裾部にかけて、Ｘ状に裁断した生地で脇部を形成し縫製されたことを特徴とするジャケット。
【考案の詳細な説明】
【考案の詳細な説明】
【技術分野】
【０００１】本考案は、カジュアル及びスポーツウエアの運動時の機能性を高めるようにしたジャケットに関するものである。
【背景技術】
【０００２】  一般的なジャケットや作業用、あるいは特にスポーツ用のジャケットにおいては、前後身頃両側の上部にアームホールが形成され、このアームホールから袖部が縫着された形態を取っている。
【考案が解決しようとする課題】
【０００３】  これらのジャケット類においては、特に作業用さらにスポーツ用のジャケットで、腕の上げ下ろしや身体のひねりの動きに対し、袖口から脇部、そして裾部にかけて引っ張られ袖口がずり落ちたり、裾部が引き上げられたりし着用時において不快感をもつ。
【０００４】  本考案は、これらの不快感の解消を目的とし、腕の単なる上下運動と身体のひねりを別な動きとして捉えるのでは無く、日常での作業や特にテニスやゴルフのスポーツで顕著に起こる腕と身体が連動した斜め上下とひねりの大きな動きに対し、機能性を高めたジャケットを提供することにある。
【課題を解決するための手段】
【０００５】  本考案はこの目的を達成するために、前身頃の肩部から裾部と後身頃の肩部から裾部にかけての脇部を形成するパーツをＸ状の形態に裁断し、それにより一般的に生地がバイヤス方向に対して伸びる特性を利用し縫製されたものである。
【考案を実施するための最良の形態】
【０００６】  以下、本考案の実施例を図面に基づいて説明する。図１は左上半身を右上方へひねり上げた時にジャケットの生地が引っ張られる方向を示した図、図２は右上半身を左上方へひねり上げた時にジャケットの生地が引っ張られる方向を示した図、図３は図１を後方から見た時にジャケットの生地が引っ張られる方向を示した図、図４は図２を後方から見た時にジャケットの生地が引っ張られる方向を示した図、図５は本考案のジャケットの左脇部を示した図、図６は本考案の右脇部を示した図、図７は本考案のパーツを生地に対し縦方向に裁断する場合の図、図８は脇部のパーツを生地に対し横方向に裁断する場合の図、図９は本考案のパーツがＸ状を構成する角度の最小を示した図、図１０は本考案のパーツがＸ状を構成する角度の最大を示した図を表わす。【０００７】  図１、図２は、上半身を左右上方へひねり上げた時に生地が引っ張られる方向を表わしたものであるが、その時に最も生地の伸びを要求される箇所が符号Ａ，Ｂで示している部分である。この箇所が引っ張られることにより裾部が引き上げられ、叉それを防ぐ為裾部を固定させると袖部も引っ張られ袖口がずり落ちたりする。【０００８】  図３、図４は、図１、図２を後方から見た図で、その時に生地が引っ張られる方向を符号Ｃ，Ｄ，Ｅ，Ｆで表わしたものである。この符号でも解るように上半身を左右どちらかの上方へ捻った場合、それぞれどちらか一方は逆方向へ引っ張られる。【０００９】  図５、図６は、本考案が上半身を左右上方へひねり上げる動きに対し、引っ張られる箇所か伸びるよう脇部をＸ状にしたことを、左脇部を符号Ｇで右脇部を符号Ｈで表わしている。叉、符号ＩがこのＸ状のパーツの生地が伸びる方向を表わし、これにより裾部が引き上げられたり、袖部が引っ張られることを軽減させられる。【００１０】  図７は、本考案における−デザインの場合、Ｘ状のパーツを符号Ｊの生地方向に対し縦方向に型入れした場合の図で、このＸ状を構成する角度が符号ＫとＬ、符号ＭとＮを結ぶ線の角度が７０度であることを表わし、生地の垂直方向に対し前後それぞれ４０度と３０度になり、正バイヤスの４５度に近いことを表わしている。【００１１】  図８は、符号Ｊの生地方向に対し横方向に図７と同じＸ状のパーツを型入れした場合の図で、この場合でも生地の水平に対し、上下３０度と４０度で構成されることをことを表わし、型入れの都合により縦もしくは横のどちらにでも本考案の機能性が損なわれること無く、対応出来ることを表わしている。【００１２】  図９はＸ状を構成するパーツの角度において、本考案の機能性を損なうことの無い最小６０度とする場合を表わしている。【００１３】  図１０はＸ状を構成するパーツの角度において、本考案の機能性が最も発揮する最大９０度の場合を表わしている。【００１４】  よって、本考案の脇部を形成するＸ状のパーツとは、その形態を構成する角度が最小６０度から最大９０度までのものとする。
【考案の効果】
【００１５】  本考案を着用すると、上半身と腕を左右上方へひねり上げた場合でも、裾が引っ張り上げられたり袖口がずり落ちたりすることが無く、日常での着用はもちろんテニスやゴルフでのスポーツで頻繁に起きるこれらの動きに対し、機能性が高く快適に着用することができる。
【図面の簡単な説明】
【図１】上半身と両腕を右上方へひねり上げた図
【図２】上半身と両腕を左上方へひねり上げた図
【図３】上半身と両腕を右上方へのひねり上げを後方から見た図
【図４】上半身と両腕を左上方へのひねり上げを後方から見た図
【図５】本考案の左側面図
【図６】本考案の右側面図
【図７】本考案のパーツを縦方向に裁断する図
【図８】本考案のパーツを横方向に裁断する図
【図９】本考案のパーツ図
【図１０】本考案のパーツ図
【符号の説明】
Ａ  生地の引っ張られる方向
Ｂ  生地の引っ張られる方向
Ｃ  生地の引っ張られる方向
Ｄ  生地の引っ張られる方向
Ｅ  生地の引っ張られる方向
Ｆ  生地の引っ張られる方向
Ｇ  本考案のパーツ
Ｈ  本考案のパーツ
Ｉ  生地が伸びる方向
Ｊ  裁断する生地の方向
Ｋ  パーツの前上部
Ｌ  パーツの後裾部
Ｍ  パーツの後上部
Ｎ  パーツの前裾部
【図１】
0003102691.tif 000003
【図２】
0003102691.tif 000004
【図３】
0003102691.tif 000005
【図４】
0003102691.tif 000006
【図５】
0003102691.tif 000007
【図６】
0003102691.tif 000008
【図７】
0003102691.tif 000009
【図８】
0003102691.tif 000010
【図９】
0003102691.tif 000011
【図１０】
0003102691.tif 000012
(57)【要約】【課題】    腕時計ケース、時計バンド等にアクセサリーを安定且つ強固に装着するための加飾部材の取付構造の提供。【解決手段】ヘッド付の加飾部材に脚筒を一体的に設け、該脚筒に縦方向の複数個のスリットを穿設すると共に脚筒に外周ネジを形成し、被装着部材（腕時計ケース、時計バンド）に穿設したネジ孔に前記脚筒を螺入して該脚筒に圧着ピンを強制嵌入し、この圧着ピンの嵌入によって脚筒を押し広げ脚筒の外周ネジを被装着部材のネジ孔に圧接するようにした。【選択図】  図１
0003102627.tif 000002
【実用新案登録請求の範囲】
【請求項１】
ヘッド２付の加飾部材１に脚筒３を連設し、該脚筒３の縦方向に複数のスリット４を穿ち且つ外周ネジ５を刻設し、腕時計ケース、バンド、或いはバンドの連結駒等の被装着部材６に穿設したネジ孔７に前記加飾部材１の脚筒３を螺入すると共に該脚筒３に圧着ピン８を強制嵌入して脚筒３を押し広げ、脚筒３の外周ネジ５を前記ネジ孔７に圧着させるようにした腕時計ケース及びバンドにおける加飾部材の取付構造。
【請求項２】
前記圧着ピン８の背面に係止孔９を穿設し、該係止孔９に連結駒の連結用軸ピン１０の止ピン１０ａを係合するようになる請求項１記載の腕時計ケース及びバンドにおける加飾部材の取付構造。
【請求項３】
前記加飾部材１のヘッド２とバンドの連結駒との間に装飾部材１２を介在固定するようになる請求項１記載の腕時計ケース及びバンドにおける加飾部材の取付構造。
【請求項４】
前記加飾部材１のヘッド２に凹陥部１１を設け、該凹陥部１１に宝石等を埋着するようになる請求項１記載の腕時計ケース及びバンドにおける加飾部材の取付構造。
【考案の詳細な説明】
【技術分野】
【０００１】  本考案は、加飾部材を安定且つ強固に装着するための腕時計ケース及びバンドにおける加飾部材の取付構造に関するものである。
【背景技術】
【０００２】  従来の腕時計ケース或いはバンドに於いて、加飾部材を装着する場合は被装着部材にネシ孔を穿ちこのネジ孔に加飾部材を螺子着し或いは螺子着した上に接着剤等で固定するようにしていた。【０００３】  前記従来の手段によると、螺子部が弛んで加飾部材が抜け落ちたりする問題点があり、螺子部を接着剤で固定しても前記の欠点を解消することが困難であった。
【考案の開示】
【０００４】  本考案は、前記加飾部材の螺合部を内側から圧力を加えて該螺合部を圧着させて螺合部の弛みを解消し加飾部材を安定且つ強固に装着し得る加飾部材の取付構造の提供を目的としたものである。
【課題を解決するための手段】
【０００５】  本考案は、前記の目的を達成する手段として、ヘッド２付の加飾部材１の脚筒３に縦方向の複数個のスリット４を穿設すると共に前記脚筒３に外周ネジ５を設け、被装着部材６のネジ孔７に前記脚筒３の外周ネジ５を螺合し且つ、該脚筒３に圧着ピン８を強制嵌入して脚筒３を押し広げて前記外周ネジ５を被装着部材６のネジ孔７に圧着させ、又、前記圧着ピン８に設けた係止孔９に連結用軸ピン１０の止ピン１０ａを係合し、更に、前記加飾部材１のヘッド２と被装着部材６との間に装飾部材１２を介在固定し且つ、前記ヘッド２に設けた凹陥部１１に宝石等を埋着するようにした。
【考案の効果】
【０００６】  本考案は、被装着部材６のネジ孔７に螺子込んだ加飾部材１の脚筒３に圧着ピン８を強制嵌入するもので、脚筒３はスリット４の効用により押し広げられて脚筒３の外周ネジ５が前記被装着部材６のネジ孔７に圧接し、両者のネジが強力に噛み合ってネジ部の弛緩が解消され、永年の使用に供しても加飾部材１の脱落がなく耐久性に富んだ高品質の製品が得られ、又、加飾部材１のヘッド２自体に特殊なメッキを施したり、ヘッド２をデザイン化し或いはヘッド２の凹陥部１１に宝石等を埋設するようにすれば顕著な装飾機能も得られるものである。
【０００７】  次に、加飾部材１のヘッド２と被装着部材６との間に装飾部材１２を介在固定することによって前記と同様の優れた装飾機能が得れ、ネジ部の弛緩防止と相俟って堅牢且つ優良な製品が得られるものである。
【考案を実施するための最良の形態】
【０００８】  本考案は、加飾部材１の脚筒３に圧着ピン８を強制嵌入することで被装着部材６の脱落を完全に防止し、また、加飾部材１のヘッド２に宝石等を埋設し或いはヘッド２と被装着部材６との間に装飾部材１２を介在させることによって堅牢にして高い装飾機能を有する製品の実現が可能なる。
【実施例１】
【０００９】  本考案の具体的な構造を図にもとづいて説明すると、図１は加飾部材の取付構造を示す要部の断面図、図２は部品の分解斜視図、図３は加飾部材と圧着ピンを示す断面図、図４は加飾部材の脚筒の横断面図を示すものである。【００１０】  加飾部材１は、ヘッド２の下部に脚筒３が一体的に設けられていて該脚筒３は縦方向に３個のスリット４があり且つ外周ネジ５を有する。
次に、被装着部材６（連結駒）にはネジ孔７があり、このネジ孔７に前記加飾部材１の脚筒３を螺入し、そして脚筒３に圧着ピン８を強制嵌入する。圧着ピン８は先方部が細く基方部が若干太くなっており、この圧着ピン８を圧入すると前記脚筒３は縦方向に３個のスリット４があるため押し広げられて外周ネジ５がネジ孔７のネジと強力に噛み合い被装着部材６に確実強固に固定されて螺子部の弛緩が防止される。
そして、圧着ピン８の背面には係止孔９があり、この係止孔９に連結用軸ピン１０の止ピン１０ａを係合してバンドにおける連結駒の中駒６ａを連結するようになる。【００１１】  本考案に係る加飾部材１は、ヘッド２自体を特殊メッキしたり、ヘッド２に凹陥部１１を穿ちこの凹陥部１１に宝石等を埋設したりすることが可能であり、又、加飾部材１のヘッド２と被装着部材６との間に装飾部材１２を介在固定することも可能であり、そして、加飾部材１の取付箇所としては腕時計ケース、バンドの平面上又はバンドの側面等が考えられる。
【産業上の利用可能性】
【００１２】  本考案は、腕時計の装飾機能高揚による高品質の時計が得られるばかりでなく時計バンドの連結駒の連結構造としても有益であり、加飾部材の脱落を完全に防止し堅牢にして装飾機能を高めた優良な製品の提供が可能となるものである。
【図面の簡単な説明】
【００１３】
【図１】  加飾部材の取付構造を示す要部の断面図。
【図２】  加飾部材の分解部品斜視図。
【図３】  加飾部材と圧着ピンの断面図。
【図４】  加飾部材の横断面図。
【符号の説明】
【００１４】  １  加飾部材
２  ヘッド
３  脚筒
４  スリット
５  外周ネジ
６  被装着部材
７  ネジ孔
８  圧着ピン
９  係止孔
１１  凹陥部
１２  装飾部材
【図１】
0003102627.tif 000003
【図２】
0003102627.tif 000004
【図３】
0003102627.tif 000005
【図４】
0003102627.tif 000006
(57)【要約】【課題】  本考案は、室内全体を早く暖かくするために、温風セラミックヒーターの温風放射範囲を、３６０度方向に放射できる全方向放射式温風セラミックヒーターを得る。【解決手段】  本体が中空円筒状で上部の外周壁に温風放射多孔部を設け、本体の下部を任意形状部に形成し、その縁辺に温風量スイッチとタイマーが付く操作盤を設け、本体の底部に空気吸入孔をあけ、四隅にゴム足を取り付け、本体の底部内側に空気吸入孔に嵌合となる送風ファンを設け、送風ファンの上部にセラミックスヒーターを設け、セラミックスヒーターの上部となる本体の天板に円錐反射盤を取り付け、温風が３６０度方向に放射できる。【選択図】  図１
0003102624.tif 000002
【実用新案登録請求の範囲】
【請求項１】
本体が中空円筒状で上部の外周壁に温風放射多孔部を設け、本体の下部を任意形状部に形成し、その縁辺に温風量スイッチとタイマーが付く操作盤を設け、本体の底部に空気吸入孔をあけ、四隅にゴム足を取り付け、本体の底部内側に空気吸入孔に嵌合となる送風ファンを設け、送風ファンの上部にセラミックスヒーターを設け、セラミックスヒーターの上部となる本体の天板に円錐反射盤を取り付け、セラミックスヒーターからの温風が３６０度方向に放射できることを特徴とする全方向放射式温風セラミックヒーター。
【考案の詳細な説明】
【技術分野】
【０００１】    本考案は、温風が３６０度方向に放射できる全方向放射式温風セラミックヒーターに関する。
【背景技術】
【０００２】    従来、温風セラミックヒーターの温風放射範囲においては、一方向放射或いは自動首振り装置などがあった。
【考案の開示】
【考案が解決しようとする課題】
【０００３】    従来の温風セラミックヒーターは、一方向放射或いは自動首振り装置などで、放射範囲は９０度程度の範囲にしか温風を放射できない問題があった。【０００４】    本考案は、室内全体を早く暖かくするために、温風セラミックヒーターの温風放射範囲を、３６０度方向に放射できる全方向放射式温風セラミックヒーターの提供を目的とするものである。
【課題を解決するための手段】
【０００５】    前記の課題を達成するため、本体が中空円筒状で上部の外周壁に温風放射多孔部を設け、本体の下部を任意形状部に形成し、その縁辺に温風量スイッチとタイマーが付く操作盤を設け、本体の底部に空気吸入孔をあけ、四隅にゴム足を取り付け、本体の底部内側に空気吸入孔に嵌合となる送風ファンを設け、送風ファンの上部にセラミックスヒーターを設け、セラミックスヒーターの上部となる本体の天板に円錐反射盤を取り付け、セラミックスヒーターからの温風が３６０度方向に放射できるよう手段を講じている。
【考案の効果】
【０００６】    本考案の全方向放射式温風セラミックヒーターでは、温風が３６０度方向に放射できるので、室内全体にクリーンな温風が早く広がるものである。
【考案を実施するための最良の形態】
【０００７】    考案を実施するための最良の形態を実施例にもとづき図面を参照して説明する。
図１で示す実施例では、本体１が中空円筒状で上部の外周壁に温風放射多孔部２を設け、本体１の下部を任意形状部３に形成し、その縁辺に温風量スイッチ４とタイマー５が付く操作盤６を設け、本体１の底部に空気吸入孔７をあけ、四隅にゴム足８を取り付け、本体１の底部内側に空気吸入孔７に嵌合となる送風ファン９を設け、送風ファン９の上部にセラミックスヒーター１０を設け、セラミックスヒーター１０の上部となる本体１の天板１１に円錐反射盤１２を取り付け、セラミックスヒーターからの温風が３６０度方向に放射できるようにしている。
【図面の簡単な説明】
【０００８】
【図１】  本考案の実施例を示す斜視図である。
【図２】  本考案の全方向放射式温風セラミックヒーターの内部の実施例を示す側面透視図である。
【符号の説明】
【０００９】  １  本体
２  温風放射多孔部
３  任意形状部
４  温風量スイッチ
５  タイマー
６  操作盤
７  空気吸入孔
８  ゴム足
９  送風ファン
１０  セラミックスヒーター
１１  天板
１２  円錐反射盤
【図１】
0003102624.tif 000003
【図２】
0003102624.tif 000004
(57)【要約】      （修正有）【課題】アルコール、塩化ベンザルコニウム等を浸漬させたウエットテッシュでは目や口の粘膜や傷口には使用出来ず、また水を浸漬させたウエットテッシュでは単純に汚れを除去することしか使用出来なかった。本考案の微酸性電解水を浸漬させたウエットテッシュはいずれの欠点も克服し何処でも除菌効果のあるテッシュ、おしぼりに使用出来る。【解決手段】食品添加物に認可されている微酸性電解水を親水性のテッシュに浸漬させ、いずれの欠点も克服し、何処でも除菌効果のあるテッシュ２、おしぼりに使用出来るものとした。【選択図】なし【実用新案登録請求の範囲】
【請求項１】
食品添加物に認可されている微酸性電解水を親水生のテッシュおよびおしぼりに浸漬させた身のまわりの衛生等に使用する微酸性電解水を含んだウエットテッシュ、おしぼり
【請求項２】
請求項１記載の微酸性電解水が塩酸または塩より電解にて生成された請求項１記載の微酸性電解水を浸漬させたウエットテッシュ、おしぼり
【請求項３】
請求項１記載のウエットテッシュ、おしぼりに浸漬させた微酸性電解水が密閉、遮光すれば１年程度の保存性のある請求項１記載の微酸性電解水を含んだウエットテッシュ、おしぼり
【考案の詳細な説明】
【考案の詳細な説明】
【技術分野】
【０００１】本考案は手軽に身のまわりの衛生に寄与する技術分野に属する
【背景技術】
【０００２】従来はアルコール類を浸漬させた目や口に使用出来ないもの、または水を浸漬させた単純に汚れを除去するウエットテッシュが存在し、徐菌力が保証されず、アルコール類ではその臭気、揮発性発散の問題の解消、安全性の確保等の面で課題がある
【考案が解決しようとする課題】
【０００３】アルコール、塩化ベンザルコニウム等を浸漬させたウエットテッシュでは目や口の粘膜や傷口には使用出来ず、また水を浸漬させたウエットテッシュでは単純に汚れを除去することしか使用出来なかった。本考案の微酸性電解水を浸漬させたウエットテッシュはいずれの欠点も克服し何処でも徐菌効果のあるテッシュ、おしぼりを使用出来る
【課題を解決するための手段】
【０００４】本考案者は課題を解決するために食品添加物に認可されている微酸性電解水を親水性のテッシュに浸漬させ、いずれの欠点も克服し、何処でも徐菌効果のあるテッシュ、おしぼりを使用出来るものとした。
【実施例】
【０００５】以下に実地例を示すがこれは本考案の理解を助けるのが目的であり、本考案の範囲をこの例に限定する趣旨ではない。
【実施例１】本考案は厚生労働省告示第２１２号（平成１４年６月１０日）の食品添加物に認可された次亜塩素酸水であり、そのなかでも人体に影響が無い微酸性（ＰＨ５〜６．５）の次亜塩素酸水溶液（有効塩素濃度１０〜３０ｐｐｍ）であり保存性に特にすぐれる。
次頁に保存検査の結果を記す
0003102629.tif 000002
【実施例２】本微酸性電解水の殺菌効果は含まれる遊離次亜塩素酸に依っている。液性を微酸性域に選んでいるのは高い比率でできるだけ安定に次亜塩素酸を含有させる為であり次亜塩素酸の殺菌力は迅速で殺菌スペクトルが広いことを特徴としている。
一般に塩素系薬剤は温度がなるほど効果の安定性は悪くなるが微酸性電解水の場合５０℃〜６０℃までは数時間内なら効果の急激な低下はない。一般的な細菌栄養細胞は極短い時間に死滅する。従って加熱されたおしぼりも人体および器具類の洗浄、徐菌の効果が得られる。
以下に各微生物に対する殺菌効果を記す
0003102629.tif 000003
【考案の効果】
【０００６】本考案により従来では効果の保証が出来なかった殺菌が微酸性電解水を浸漬させたウエットテッシュ、おしぼりを使用することによって清拭するだけで殺菌力を十分に発揮し、人体の如何なる部位にも、また人体と直接触れる器具類の洗浄、徐菌に使用出来る。
【図面の簡単な説明】
【図１】微酸性電解水を浸漬させたウエットテッシュ
【符号の説明】
▲１▼梱包材（アルミニウム等で密閉性、遮光性のもの）
▲２▼清拭材（微酸性電解水を浸漬）
【図１】
0003102629.tif 000004
(57)【要約】      （修正有）【課題】Ｙシャツ等の襟や袖口の汚れを防ぐ事を目的として、適当な厚みを持つ台紙に肌に柔らかな感触の和紙等を貼り、襟や袖口の内側の形状に合わせた型紙を作り、これを襟や袖の内側に貼付するために両面接着性のあるテープ等を用いて貼付して、その汚れるのを防止する。【解決手段】Ｙシャツ１の汚れ易い襟と袖口に、内側から当て紙３や８を貼付してそれぞれの汚れるのを防ぐようにし、そのための当て紙とする。【選択図】図１
0003102626.tif 000002
【実用新案登録請求の範囲】
【請求項１】
Ｙシャツの襟と袖口は汗や人の脂で汚易く、汚れるのを防ぐ目的で、襟と袖口の肌に接する部分に、適当な厚みの吸湿性の良い紙で、それぞれの内側の形状に合わせて形抜きした当て紙を作り、襟や袖の内側に接着して使うもので、使用には接着面の当て紙を取り去り、襟や袖の内側に接着し、使用後は容易に取去る事ができる事を特徴とする、Ｙシャツの襟や袖口の汚れ防止用当て紙。
【考案の詳細な説明】
【考案の詳細な説明】
【技術分野】
【０００１】  本考案は日常に用いるＹシャツの襟や袖口が汚れ易く、出張先で活動すると簡単に汚れてしまい、訪問先などで相手に対して不快感を与えないようにする為などの配慮をしなければならなかった。
【背景技術】
【０００２】  従来はＹシャツの袖口はまだしも、襟などは汚れるのを防ぐ手立ては無いに等しく、夏季にハンカチ等を襟に挟んで、汗で汚れたりするのを防ぐのがせいぜいであった。
【考案が解決しようとする課題】
【０００３】  上述のように、仕事着としてのＹシャツは相手に対して清潔感を与えるものでもあり、それを保つために最も汚れが目立ち易い襟や袖口の肌が触れる部分の、汚れるのを一日位の間、防ぐことを目的として考案したもので、汚れたら随意に当て紙を容易に付け替えられるものとした。
【課題を解決するための手段】
【０００４】  本考案はＹシャツの襟や袖口の内側にある汚れ易い部分に、外観を損ねず、吸水性のある和紙などのような素材で当て紙を作り、肌にさわやかな感触を与える当て紙を接着し、布に貼り付けても影響なく、又容易に取りはがすことの出来る接着剤で貼り付け、シャツを着用する時、あらかじめ襟と袖口に当て紙を貼付して、所要の時間を過ごしたらその当て紙を取り去れば、シャツの襟や袖口の汚れを防ぐことができ、これで課題を解決するための手段とした。
【考案の効果】
【０００５】  本考案は上記のとおり構造も簡単で、Ｙシャツに装着するのも、又取り外しや取り替えも容易であり、出張等の場合も当て紙のスペアを用意しておけば、Ｙシャツの着替えを多く用意する等のことも不必要になる等多大の便益を提供するものである。
【実施例】
【０００６】  これを添付図面によって実施例を示せば、Ｙシャツ１の襟２の内側と、袖口７の内側に、外観には分かりにくいようにそれぞれの当て紙３および８の接着面４及び９のシール５及び１０をはがして所要の位置に貼付する事で本案の効果を発揮することが出来ることとした。
【図面の簡単な説明】
【図１】  本案をＹシャツの襟に装着した襟部分の斜視図
【図２】  本案をＹシャツの袖口に装着した袖口部分の一部透視した斜視図
【符号の説明】
１          Ｙシャツ本体
２          Ｙシャツの襟
３          襟当て紙
４          襟当て紙接着面
５          襟当て紙シール
６          袖
７          シャツ袖口
８          袖口当て紙
９          袖当て紙接着面
１０        袖当て紙接着面シール
【図１】
0003102626.tif 000003
【図２】
0003102626.tif 000004
(57)【要約】      （修正有）【課題】室内の空気清浄とともに消臭や除湿を行える竹炭を内設した空気清浄器を得る。【解決手段】本体１が中空状で上端を開放した角柱となり、その本体の底部の外側四角にゴム足２を取り付け、底部中心に空気清浄放出孔３をあけ、本体の底部内側には空気清浄放出孔に近接した空気吸入ファン４を設け、空気吸入ファンに近接した本体の内部一角にマイナスイオン発生器５を取り付け、その上部をフィルター６で覆い、フィルターの上部に竹炭７を内設し、室内の空気清浄とともに消臭や除湿を行う。【選択図】図１
0003102625.tif 000002
【実用新案登録請求の範囲】
【請求項１】
本体が中空状で上端を開放した角柱となり、その本体の底部の外側四角にゴム足を取り付け、その底部中心に空気清浄放出孔をあけ、本体の底部内側には空気清浄放出孔に近接した空気吸入ファンを設け、空気吸入ファンに近接した本体の内部一角にマイナスイオン発生器を取り付け、その上部をフィルターで覆い、フィルターの上部に竹炭を内設し、室内の空気清浄とともに消臭や除湿を行うことを特徴とする竹炭を内設した空気清浄器。
【考案の詳細な説明】
【技術分野】
【０００１】    本考案は、竹炭を内設した空気清浄器に関する。
【背景技術】
【０００２】    従来、マイナスイオンを発生する空気清浄器はあった。
【考案の開示】
【考案が解決しようとする課題】
【０００３】    従来の空気清浄器はマイナスイオンを発生するものがあったが、消臭や除湿を行えるものがない問題があった。【０００４】    本考案は、室内の空気清浄とともに消臭や除湿を行える竹炭を内設した空気清浄器の提供を目的とするものである。
【課題を解決するための手段】
【０００５】    前記の課題を達成するため、本体が中空状で上端を開放した角柱となり、その本体の底部の外側四角にゴム足を取り付け、底部中心に空気清浄放出孔をあけ、本体の底部内側には空気清浄放出孔に近接した空気吸入ファンを設け、空気吸入ファンに近接した本体の内部一角にマイナスイオン発生器を取り付け、その上部をフィルターで覆い、フィルターの上部に竹炭を内設し、室内の空気清浄とともに消臭や除湿を行う手段を講じている。
【考案の効果】
【０００６】    本考案の竹炭を内設した空気清浄器では、室内の空気清浄とともに竹炭を内設して消臭や除湿を行えるようになるので、室内の空気がより自然に清浄化されるものである。
【考案を実施するための最良の形態】
【０００７】    考案を実施するための最良の形態を実施例にもとづき図面を参照して説明する。
図１で示す実施例では、本体１が中空状で上端を開放した角柱となり、その本体１の底部の外側四角にゴム足２を取り付け、底部中心に空気清浄放出孔３をあけ、本体１の底部内側から空気清浄放出孔３に近接した空気吸入ファン４を設け、空気吸入ファン４に近接した本体１の内部一角にマイナスイオン発生器５を取り付け、その上部をフィルター６で覆い、フィルター６の上部に竹炭７を内設し、本体１の外壁面の一辺に電源スイッチ８を設け、電源スイッチ８を入れることで空気清浄器が作動し、室内の空気清浄とともに消臭や除湿を行うようにしている。
【図面の簡単な説明】
【０００８】
【図１】  本考案の実施例の要部を透視した斜視図である。
【符号の説明】
【０００９】    １  本体
２  ゴム足
３  空気清浄放出孔
４  空気吸入ファン
５  マイナスイオン発生器
６  フィルター
７  竹炭
８  電源スイッチ
【図１】
0003102625.tif 000003
(57)【要約】【課題】  箱の蓋の裏面の空白を有効活用して宣伝などを行なえるようにする。【解決手段】  握部２と一端を扇状に広くしその先端に長細溝４を穿設した取付部３からなる柄１の長細溝４に、刃７を挿入し締結具６にて固定するようにしたベラに於いて、刃７の挿入側７ａに先端を広く開口し傾斜部８ａを設けてＶ字状を形成した切欠８を締結位置まで穿設したものである。【選択図】        図１
0003102621.tif 000002
【実用新案登録請求の範囲】
【請求項１】
握部と一端を扇状に広くしその先端に長細溝を穿設した取付部からなる柄の長細溝に、刃を挿入し締結具にて固定するようにしたベラに於いて、刃の挿入側に先端を広く開口し傾斜部を設けてＶ字状を形成した切欠を締結位置まで穿設したことを特徴とする建築施工用ベラ。
【考案の詳細な説明】
【技術分野】
【０００１】  本考案は、建築物の内装などの施工に用いられる建築施工用ベラに関するものである。
【背景技術】
【０００２】  従来のベラ（又はヘラ）は、建築部の内装のクロスカット・クロスジョイント切断・階段廻り・パテなどに用いられていた。
そしてその構成も柄と刃からなり、柄の一端を広くしその先端に長細溝を長手に沿って穿設し、そこえ刃元を挿入し締結具にて刃を柄に固定し使用可能としていた。
この場合の柄は扁平で持つ部分が挿入部に対して垂直の場合や傾斜させた場合などがある。
【考案の開示】
【考案が解決しようとする課題】
【０００３】  このように柄に刃を挿入して締結具にて固定していたが、施工によって刃先が擦り減ったりして傷んだ場合には固定のためそのまま廃棄していた。
しかし廃棄するには柄と刃は材質が異なるため廃棄に当っては柄と刃を別々に分解しなくてはならず、廃棄のために手間がかかっていた。
このため図３に示す如く刃の締結位置に取付穴を穿設した刃を用いて締結具を取り除き刃を引き抜けば良いように開発されているが、何れにしても柄の締結具の位置と刃に設けた取付穴の位置が合わなければ締結具で締結出来ない。
そのための位置合わせが簡単なように見えて案外面倒で煩わしくなり施工の準備上或は施工作業上非常に不都合を感じていた。
【課題を解決するための手段】
【０００４】  本考案はこのような不都合を解消し、刃が傷んで取り替える時に位置合わせに神経をあまり使わないで凡その見当で刃を挿入すれば締結具にて締結し固定することが出来るようにした建築施工用ベラを提供せんとするものである。
握部と一端を扇状に広くしその先端に長細溝を穿設した取付部からなる柄の長細溝に、刃を挿入し締結具にて固定するようにしたベラに於いて、刃の挿入側に先端を広く開口し傾斜部を設けてＶ字状を形成した切欠を締結位置まで穿設したものである。【０００５】  作用について
このように切欠の先端を広く開口したことによって、締結位置を凡その見当で決めて刃を長細溝に挿入すると、開口によって形成している傾斜部が柄に設けている締結具に当って締結位置まで案内されて止まるので、締結具にて締結し刃を固定する。
刃が傷んで取り替えたい場合には、締結具を少し緩めれば刃を引き抜いて新しい刃を前述と同じ要領で装着することが出来る。
【考案の効果】
【０００６】  上述の如く本考案は、締結具を取り除かなくても少し緩めるだけで刃の抜き取りが出来ると共に、開口が形成する傾斜部によって締結位置への案内が凡その見当で差し込んでも行なえるため、刃の取り替えの面倒や煩わしさが無く簡単に而も手早く行なえ気持ち良く施工作業にかかることが出来る。
【考案を実施するための最良の形態】
【０００６】  握部と一端を扇状に広くしその先端に長細溝を穿設した取付部からなる柄の長細溝に、刃を挿入し締結具にて固定するようにしたベラに於いて、刃の挿入側に先端を広く開口し傾斜部を設けてＶ字状を形成した切欠を締結位置まで穿設したものである。
【実施例】
【０００７】  以下本考案の一実施例を図面について説明する。
図中１は扁平の握部２と取付部３とからなる柄であって、取付部３先端に長細溝４を長手に沿って設置し、締結用の締結穴５を取付部３の三箇所に穿設している。
６は締結具であって、締結穴５に螺合にて締緩可能に設けている。
７は略梯形で薄厚の刃であって、先端を広く開口し傾斜部８ａを設けてＶ字状とした切欠８を挿入側７に締結位置に達するよう穿設し、前記長細溝４へ挿入抜取りを可能としている【０００８】  使用に当っては、締結穴５に締結具６を螺合にて設けた後に少し緩めておき、その状態で長細溝４に挿入側７ａに設けた切欠８を締結具６の位置に凡その見当で合わせて挿入する。  すると開口にて形成した傾斜部８ａが締結具６に当って締結位置まで案内されて刃７の挿入が終る。
このように刃７の挿入が終ると締結具６を締めて取付部３の挟持にて刃７を固定し施工作業を可能とする。
使用によって刃７が傷み取り替えたい場合は、締結具６を少し回して取付部３による挟持を緩め、長細溝４より刃７を抜き取り新しい刃７を前述と同じ要領でセットし再度施工作業を可能とする。【０００９】  各種の収納箱。
【図面の簡単な説明】
【００１０】
【図１】実施例の一部を破断した正面図
【図２】本実施例の刃の正面図
【図３】図１のＡ−Ａ断面図
【図４】従来の刃の正面図
【符号の説明】
【００１１】１    柄
２    握部
３    取付部
４    長細溝
５    締結穴
６    締結具
７    刃
８    切欠
８ａ  傾斜部
【図１】
0003102621.tif 000003
【図２】
0003102621.tif 000004
【図３】
0003102621.tif 000005
【図４】
0003102621.tif 000006
(57)【要約】      （修正有）【課題】アルコール、塩化ベンザルコニウム等をスプレーするのは目や口の粘膜や傷口には使用出来ず、また消臭スプレーは単純に臭いを除去することしか使用出来なかった。本考案の微酸性電解水をスプレーさせるものはいずれの欠点も克服、両立し何処でも除菌効果消臭効果のあるスプレーが得られる。【解決手段】食品添加物に認可されている微酸性電解水をスプレー容器に詰めいずれの欠点も克服し、何処でも除菌効果、消臭効果のあるスプレーを使用出来るものとした。【選択図】なし【実用新案登録請求の範囲】
【請求項１】
食品添加物に認可されている微酸性電解水をスプレー容器に詰め殺菌性、消臭効果をもたせたスプレー
【請求項２】
請求項１記載の微酸性電解水が残留性のない塩酸より電解にて生成された請求項１記載の微酸性電解水スプレー
【請求項３】
請求項１記載の微酸性電解水が密閉、遮光すれば１年程度の保存性のある請求項１記載の微酸性電解水スプレー
【考案の詳細な説明】
【考案の詳細な説明】
【技術分野】
【０００１】本考案は手軽に身のまわりの衛生に寄与する技術分野に属する
【背景技術】
【０００２】従来はアルコール類をスプレーする目や口に使用出来ないもの、または消臭のみに限られたスプレーが存在し、徐菌力が保証されず、アルコール類ではその臭気、揮発性発散の問題の解消、安全性の確保等の面で課題がある
【考案が解決しようとする課題】
【０００３】アルコール、塩化ベンザルコニウム等をスプレーするのは目や口の粘膜や傷口には使用出来ず、また消臭スプレーは単純に臭いを除去することしか使用出来なかった。本考案の微酸性電解水をスプレーさせるものはいずれの欠点も克服、両立し何処でも徐菌効果消臭効果のあるスプレーが得られる
【課題を解決するための手段】
【０００４】本考案者は課題を解決するために食品添加物に認可されている微酸性電解水をスプレー容器に詰めいずれの欠点も克服し、何処でも徐菌効果、消臭効果のあるスプレーを使用出来るものとした。
【実施例】
【０００５】以下に実地例を示すがこれは本考案の理解を助けるのが目的であり、本考案の範囲をこの例に限定する趣旨ではない。
【実施例１】本考案は厚生労働省告示第２１２号（平成１４年６月１０日）の食品添加物に認可された次亜塩素酸水であり、そのなかでも人体に影響が無い微酸性（ＰＨ５〜６．５）の次亜塩素酸水溶液（有効塩素濃度１０〜３０ｐｐｍ）であり保存性に特にすぐれる。
次頁に保存検査の結果を記す
0003102628.tif 000002
【実施例２】本微酸性電解水の殺菌効果は含まれる遊離次亜塩素酸に依っている。液性を微酸性域に選んでいるのは高い比率でできるだけ安定に次亜塩素酸を含有させる為であり次亜塩素酸の殺菌力は迅速で殺菌スペクトルが広いことを特徴としている。
以下に各微生物に対する殺菌効果を記す
0003102628.tif 000003
【考案の効果】
【０００６】本考案により従来では効果の保証が出来なかった徐菌、消臭が微酸性電解水をスプレーすることによって殺菌力を十分に発揮し、人体の如何なる部位にも、また人体と直接触れる器具類の洗浄、徐菌に使用出来る。
【図面の簡単な説明】
【図１】微酸性電解水のスプレー
【符号の説明】
▲１▼スプレー容器
▲２▼微酸性電解水
【図１】
0003102628.tif 000004